(57)【特許請求の範囲】
【請求項１】
プリンタユニットとオートカッタユニットとを備えたプリンタ装置のプリンタカッタの取付構造であって、
前記プリンタ装置に、前記プリンタカッタ及びフロントパネルを回動可能に枢着するとともに、これら前記プリンタカッタ及び前記フロントパネルをそれぞれ係止する第一係止部と第二係止部とが形成されたレバーを設け、
該レバーの操作で前記第一係止部又は前記第二係止部のどちらか一方の係止解除を行うと前記一方に対する他方も係止解除される
ことを特徴とするプリンタカッタ取付構造。
【請求項２】
請求項１に記載のプリンタカッタ取付構造において、
前記レバーは回動可能に枢着され、回動量を規制するストッパを有するとともに、前記一方へ回動する方向に付勢されることを特徴とするプリンタカッタ取付構造。
【請求項３】
請求項１又は請求項２に記載のプリンタカッタ取付構造において、
前記フロントパネルは、該フロントパネルを前記レバーの係止位置に向け回動すると、前記プリンタカッタを支持するプリンタセットプレートに係合して該プリンタカッタを前記レバーの係止位置に回動させるヒンジアームを有することを特徴とするプリンタカッタ取付構造。
【発明の詳細な説明】
【０００１】
【発明の属する技術分野】
本発明は、小物等を保管する物品収納ロッカーに設けられるプリンタ装置のプリンタカッタ取付構造に関する。
【０００２】
【従来の技術】
近年、各種ホテル、レジャー施設、病院等において利用者の小物を保管するために上記物品収納ロッカーが配設されている。
【０００３】
図１５において、引用符号１は物品収納ロッカーを示しており、その物品収納ロッカー１には、個々に錠装置（電気錠）を有するロッカー２が横及び上下方向に複数設けられている。また、物品収納ロッカー１には、ほぼ中央に例えばロッカー２の扉番号と暗証番号とを入力するための入力設定部３と、例えば扉番号を印字したレシートを発行するプリンタ装置４等とが設けられている。
【０００４】
各ロッカー２には、その正面に扉開閉用摘み５、番号表示部６、及び施錠表示ランプ７が設けられており、また、入力設定部３には、使用しようとする扉番号及び利用者の決めた暗証番号を入力する複数のキーボタン８と、入力時にのみ入力した扉番号及び使用案内を点灯する番号表示部９とが設けられている。プリンタ装置４の正面のフロントパネル４ａには、印字したレシートを送出する紙片排出窓４ｂが設けられている。
【０００５】
上記構成において、利用者が入力設定部３のキーボタン８により扉番号及び暗証番号を入力して開扉した後、ロッカー２内に物品を入れて扉を閉じると、そのロッカー２は施錠され、プリンタ装置４からはレシートが発行されるようになっている。また、利用者が物品を取り出そうとする場合には、レシートに印字された扉番号に基づいて入力設定部３を操作し、ロッカー２を解錠するようになっている。
【０００６】
【発明が解決しようとする課題】
ところで上記従来技術にあっては、プリンタ装置４のメンテナンス性が悪いという問題点があった。
【０００７】
即ち、プリンタ装置４は、フロントパネル１０を有するプリンタケース内にプリンタカッタとしてのプリンタユニットとオートカッタユニット（これらは不図示、以下同様）とを備えて構成されるものであり、紙詰まりや印字ヘッドのクリーニング等によるメンテナンスを行う際には、プリンタケースを物品収納ロッカー１の前面に引き出してから、そのプリンタケースの上方より手を差し込んでメンテナンスしたり、又は、プリンタユニット自体を取り外してメンテナンスしたりしていた。
【０００８】
前者の場合は、フロントパネルがプリンタユニット等の前に配置されていることから、メンテナンス時の視線がプリンタユニット等に対して斜め上方からになり、また、邪魔であってメンテナンスが非常にし難かった。
後者の場合では、メンテナンスのための作業スペースを別に設ける必要があり、プリンタユニット等をその作業スペースに運ぶのが面倒であった。
【０００９】
このようなことから、プリンタ装置４のメンテナンス中においては、そのメンテナンスの時間がかかり過ぎ、利用者に多大な迷惑をかけてしまう恐れがあった。
【００１０】
本発明は、上述した事情に鑑みてなされるもので、メンテナンス性の向上を図ることができるプリンタカッタ取付構造を提供することを課題とする。
【００１１】
【課題を解決するための手段】
上記課題を解決するためなされた請求項１記載の本発明のプリンタカッタ取付構造は、プリンタユニットとオートカッタユニットとを備えたプリンタ装置のプリンタカッタの取付構造であって、前記プリンタ装置に、前記プリンタカッタ及びフロントパネルを回動可能に枢着するとともに、これら前記プリンタカッタ及び前記フロントパネルをそれぞれ係止する第一係止部と第二係止部とが形成されたレバーを設け、該レバーの操作で前記第一係止部又は前記第二係止部のどちらか一方の係止解除を行うと前記一方に対する他方も係止解除されることを特徴としている。
【００１２】
上記構成において、プリンタカッタ自体等を一々取り外さなくとも容易にメンテナンスができるので、別途作業スペースを設ける必要がなく、作業も煩雑になることはない。さらには、レバーの操作によって一方の係止解除を行えばよいことから、メンテナンスの際の操作は非常に簡単である。
従って、メンテナンス性の向上を図ることができるプリンタカッタ取付構造を提供することができる。
【００１３】
請求項２記載の本発明のプリンタカッタ取付構造は、請求項１に記載のプリンタカッタ取付構造において、前記レバーは回動可能に枢着され、回動量を規制するストッパを有するとともに、前記一方へ回動する方向に付勢されることを特徴としている。
【００１４】
上記構成において、プリンタカッタ又はフロントパネルのどちらか一方の係止によって、付勢されたレバーの回動が規制されることになり、そのどちらか一方の係止が解除されると、レバーはストッパで規制される位置まで回動して他方の係止を解除するようになる。
従って、簡単な構成で上記メンテナンス性の向上に寄与することができる。
【００１５】
請求項３記載の本発明のプリンタカッタ取付構造は、請求項１又は請求項２に記載のプリンタカッタ取付構造において、前記フロントパネルは、該フロントパネルを前記レバーの係止位置に向け回動すると、前記プリンタカッタを支持するプリンタセットプレートに係合して該プリンタカッタを前記レバーの係止位置に回動させるヒンジアームを有することを特徴としている。
【００１６】
上記構成において、ヒンジアームにより、プリンタカッタのメンテナンス後、フロントパネルを元の位置に復帰させれば、プリンタカッタも自動的に元の位置に戻ることになる。
従って、さらに上記メンテナンス性の向上に寄与することができる。
【００１７】
【発明の実施の形態】
以下、図面を参照して本発明の一実施の形態を説明する。
図１は本発明のプリンタカッタ取付構造の一実施の形態を示す斜視図である。また、図２は図１のパネルベース、図３は図１のプリンタベース、図４は図１のプリンタセットプレート、図５は図１のレバーを示している。
【００１８】
図１において、引用符号２１は従来と同様の構成の物品収納ロッカー１′に設けられ、例えば扉番号を印字したレシート２２を発行するプリンタ装置を示しており、物品収納ロッカー１′の前面に対して前方（図１においては左方向）へ引き出し可能に配設されている。
【００１９】
プリンタ装置２１には、フロントパネル２３とプリンタベース２４から成るプリンタケース２５内に、プリンタカッタ２６と感熱ロール紙２７とが設けられており、回動可能に枢着されたフロントパネル２３とプリンタカッタ２６とがレバー２８によって係止されるとともに、感熱ロール紙２７から引き出されたロール紙２９がプリンタカッタ２６を介してフロントパネル２３よりレシート２２として排出されるようになっている。
【００２０】
上記フロントパネル２３は、上記前面側の化粧パネル３０とパネルベース３１とで構成されており、化粧パネル３０の略中央部分には、レシート２２に対する紙片排出窓３２が形成されている。
【００２１】
また、パネルベース３１の一方の面には、図２（ａ）〜（ｃ）に示されるようなヒンジアーム３３、ペーパーガイド３４、ブラケット３５、ストッパピン３６、及び排出口３７とが設けられており、ヒンジアーム３３を介してプリンタベース２４（図１参照）に回動可能に枢着されるようになっている。
【００２２】
ヒンジアーム３３は略コ字状の金属プレートから成り、パネルベース３１より突出する両端部には、フロントパネル２３自身の回動のための貫通孔３３ａが形成されている。また、その両端部は、後述するプリンタセットプレート６２に係合してプリンタセットプレート６２を元の位置へ復帰させるようになっている。
【００２３】
ペーパーガイド３４は、二片に挟まれる角度が鋭角となる略く字状の金属プレートから成り、排出口３７の縁部にその一片が立設するように配置されてレシート２２（図１参照）をスムーズに排出できるようになっている。
【００２４】
ブラケット３５は略Ｌ字状の金属プレートから成り、その一片にはレバー２８（図１参照）に係合する金属製のストッパピン３６が固着されている。
【００２５】
上記プリンタベース２４は、図３（ａ）〜（ｃ）に示される如く、その両側に段部３８を有する略平板状の金属プレートから成り、上面には上記プリンタカッタ２６（図１参照）に対する金属製の第一プリンタアーム３９及び第二プリンタアーム４０と、上記感熱ロール紙２７（図１参照）に対するロール紙支持プレート４１とが設けられている。
【００２６】
また、プリンタベース２４の後部中央には、プリンタベース２４の一部を切り欠いて起立壁４２が形成されており、略鉤状に形成されたストッパ４３（図８参照、プリンタ装置２１を物品収納ロッカー１′の上記前面から引き出し過ぎないようにする部材である）を回動自在に取り付けることができるようになっている。
【００２７】
第一プリンタアーム３９には、上記パネルベース３１（図２参照）に対するストッパ面４４と、上記ヒンジアーム３３（図２参照）を枢着するための貫通孔４５と、後述するプリンタセットプレート６２を枢着するための貫通孔４６と、上記レバー２８（図１参照）の回動量を規制するための孔４７とが形成されるとともに、レバー２８（図１参照）を回動自在に枢着するためのピン４８と、スプリング４９（図１参照）の一端を引っかけるためのピン５０とが設けられている。
【００２８】
第二プリンタアーム４０には、第一プリンタアーム３９と同様のストッパ面５１と、貫通孔５２、５３とが形成されている。また、第二プリンタアーム４０のロール紙支持プレート４１側には、ロール紙２９（図１参照）をフィードするための既知構成のフィードスイッチ５４（図１参照）が固定されるスイッチ固定部５５が設けられている。
【００２９】
ロール紙支持プレート４１には、その一方の面に上記感熱ロール紙２７（図１参照）を支持するシャフト５６と、図１に示されるようなペーパーレバー５７及びスイッチ５８とが設けられており、感熱ロール紙２７が引き出されるにつれてペーパーレバー５７が縮径方向に回動するようになっている。そして、感熱ロール紙２７が一定の残量（残量設定は任意）になると、ペーパーレバー５７の後端部の押圧によりスイッチ５８がＯＮし、管理者に感熱ロール紙２７の交換を促すことができるようになっている。
【００３０】
尚、ペーパーレバー５７には、感熱ロール紙２７のズレを押さえる矯正部５９が設けられている。スイッチ５８は市販品でありその説明は省略する。
一方、引用符号２４ａは、上記プリンタ装置２１（図１参照）を上記物品収納ロッカー１′（図１参照）に係止してそのプリンタ装置２１を前後不動にする錠装置のための係合用の孔である。
【００３１】
上記プリンタカッタ２６は市販品であって、既知構成のプリンタユニット（サーマルプリンタ）６０と、同じく既知構成のオートカッタユニット６１とで構成されており（図８参照、これらの詳細な説明は省略する）、第一プリンタアーム３９及び第二プリンタアーム４０（図３参照）に回動自在に枢着されるプリンタセットプレート６２（図４参照）に支持固定されている。
【００３２】
プリンタカッタ２６から導出されるワイヤハーネス群６３（図８参照）は、上記ロール紙支持プレート４１（図３参照）の上記一方の面に対する他方の面側を介して物品収納ロッカー１′（図１参照）内に配索されており、上記スイッチ５８（図１参照）から導出されるワイヤハーネス６４と共に図示しない制御部に導通接続されている。
【００３３】
プリンタセットプレート６２は、図４（ａ）、（ｂ）に示される如く、その両側にプリンタセットプレート６２の一方の面側に突出する支持部６５、６６を有する略平板状の金属プレートから成り、ロール紙２９（図１参照）のための通孔６７の縁部には、ガイド６８を有するペーパーガイド６９が設けられている。
【００３４】
支持部６５は略Ｌ字状の金属プレートから成り、プリンタセットプレート６２の一側面にわたって配設されている。また、支持部６５には、上記第一プリンタアーム３９（図３参照）に回動自在に枢着されるための貫通孔７０と、上記レバー２８（図５参照）に係合するストッパピン７１とが設けられている。
【００３５】
支持部６６は、支持部６５の貫通孔７０側の形状に一致しており、貫通孔７２が形成されている。
【００３６】
上記レバー２８は、図５（ａ）〜（ｃ）に示される如くの形状に形成されており、上記フロントパネル２３のストッパピン３６（図２（ａ）参照）と、上記プリンタセットプレート６２のストッパピン７１（図４（ａ）参照）とが係合する略Ｕ字切り欠き状の第一係止部７３と第二係止部７４とが形成されている。
【００３７】
尚、第二係止部７４は、ストッパピン３６及びストッパピン７１の係合状態において、レバー２８の時計回り方向（図１参照）への回動を許容するため上部に延長して形成されている。
【００３８】
また、レバー２８には、上記スプリング４９（図１参照）の上記一端に対する他端を引っかけるための支持部７５が設けられている。
【００３９】
第一係止部７３と第二係止部７４は、それぞれ外側にテーパ７６、７７を有しており、ストッパピン３６（図２（ａ）参照）及び７１（図４（ａ）参照）がスムーズに係入できるようになっている。
【００４０】
支持部７５は、レバー２８が回動自在となるピン４８に対し、第一係止部７３側にズレて配設されているため、レバー２８はスプリング４９により反時計回り方向（図９及び図１０で示される矢線Ｄ方向）に付勢され、ストッパピン３６（図２（ａ）参照）に当接してその回動が規制されるようになっている。また、逆側の第二係止部７４側には、上記孔４７（図３（ｃ）参照）に遊嵌する略ピン状のストッパ７８が配設されている（図１０参照）。
【００４１】
上記構成において、図１と、図６ないし図９を順に参照しながらプリンタカッタ取付構造による作用を説明する。
【００４２】
先ず、プリンタ装置２１のメンテナンスを行う際には、図１に示される如く、プリンタ装置２１を物品収納ロッカー１′の上記前方へ引き出し、レバー２８をスプリング４９の付勢に抗して矢線Ａ方向に回動させる。この時、ストッパピン３６と第一係止部７３との係止状態が解除され、フロントパネル２３が回動可能となる（図１１参照）。
【００４３】
そして、図６に示される如く、フロントパネル２３がプリンタベース２４の延在方向に沿うように開放される。また、レバー２８がスプリング４９により矢線Ｄ方向に付勢されて孔４７（図３参照）とストッパ７８（図５参照）とで規制される位置まで回動する（図１２参照）。
【００４４】
これにより、ストッパピン７１と第二係止部７４との係止状態が解除され、プリンタセットプレート６２が回動可能な状態となる。
【００４５】
プリンタセットプレート６２を回動させると、図７に示されるようなプリンタカッタ２６の前面がメンテナンスを行う者のほうに向き、その後のメンテナンスや操作が容易になる。
【００４６】
そして、紙詰まりの対処や印字ヘッド７９のクリーニングを行う際には、例えば図８に示される如く、オートカッタユニット６１を開放してメンテナンスを行えばよい。
この時、支持部６５の前端面６５ａ（図４（ｂ）参照）がヒンジアーム３３の下部３３ｂ（図２（ｃ）参照）に近接する。
【００４７】
一方、メンテナンスが完了し、図９に示される如く、フロントパネル２３を矢線Ｂ方向に回動させてフロントパネル２３を元の位置に復帰させようとすると、ヒンジアーム３３の下部３３ｂ（図２（ｃ）参照）がプリンタセットプレート６２（図４参照）に係合する（図１３参照）。
【００４８】
すると、プリンタセットプレート６２は、フロントパネル２３の回動に伴って矢線Ｃ方向へ回動し、プリンタカッタ２６を元の位置に復帰させる（図１４参照、これにより、メンテナンスにかかる時間を短縮できるので、メンテナンス性の向上に寄与することになる）。
【００４９】
この時、ストッパピン７１が第二係止部７４に係入可能位置となり、その後、ストッパピン３６がテーパ７６に当接してレバー２８を矢線Ａ方向（図１参照）に回動させ、ストッパピン７１と第二係止部７４とが係合し、これらが係止状態となる。また、スプリング４９に付勢された状態におけるレバー２８のテーパ７６を乗り越えたストッパピン３６も第一係止部７３に係入するので、これらも係止状態となる。これにより、フロントパネル２３及びプリンタカッタ２６の各々が係止されることになる。
【００５０】
尚、予めプリンタカッタ２６を元の位置に復帰させてから、フロントパネル２３を回動させてもよい。
【００５１】
以上、図１ないし図９までを参照しながら説明してきたように、プリンタ装置２１は、そのプリンタ装置２１に、プリンタカッタ２６及びフロントパネル２３を回動可能に枢着するとともに、これらプリンタカッタ２６及びフロントパネル２３をそれぞれ係止する第一係止部７３と第二係止部７４とが形成されたレバー２８を設け、そのレバー２８の操作で第一係止部７３の係止解除を行うと第二係止部７４の係止も解除されるようなプリンタカッタ２６の取付構造（逆の場合、即ち第二係止部７４の係止解除を行って第一係止部７３の係止も解除する構造も当然に可能である）を採用している。
【００５２】
これにより、予めプリンタカッタ２６及びフロントパネル２３の回動範囲を設定しておけば、レバー２８の操作による係止解除で、メンテナンスし易い位置にプリンタカッタ２６及びフロントパネル２３を回動させることができることになる。
【００５３】
また、プリンタカッタ２６自体等を一々取り外さなくとも容易にメンテナンスができるので、別途作業スペースを設ける必要がなく、作業も煩雑になることはない。
【００５４】
さらには、レバー２８の操作によって第一係止部７３の係止解除を行えばよく、フロントパネル２３の復帰でプリンタカッタ２６も自動的に元の位置に復帰できることから、メンテナンスの際の操作は非常に簡単である。
【００５５】
従って、メンテナンス性の向上を図ることができるプリンタカッタ取付構造を提供することができる。
【００５６】
その他、本発明は本発明の主旨を変えない範囲で種々変更実施可能なことは勿論である。
即ち、スプリング４９の一端を引っかけるピン５０を第一プリンタアーム３９ではなくプリンタセットプレート６２に設け、ストッパピン７１と第二係止部７４との係止状態が解除されたとき、スプリング４９により自動的に回動させるようにしてもよい。
【００５７】
【発明の効果】
以上説明したように、請求項１に記載された本発明によれば、プリンタカッタ取付構造は、プリンタユニットとオートカッタユニットとを備えたプリンタ装置のプリンタカッタの取付構造であって、プリンタ装置に、プリンタカッタ及びフロントパネルを回動可能に枢着するとともに、これらプリンタカッタ及びフロントパネルをそれぞれ係止する第一係止部と第二係止部とが形成されたレバーを設け、そのレバーの操作で第一係止部又は第二係止部のどちらか一方の係止解除を行うとその一方に対する他方も係止解除される取付構造になっている。
このような取付構造を採用したことで、プリンタカッタ自体等を一々取り外さなくとも容易にメンテナンスができるので、別途作業スペースを設ける必要がなく、作業も煩雑になることはない。さらには、レバーの操作によって一方の係止解除を行えばよいことから、メンテナンスの際の操作は非常に簡単である。
従って、メンテナンス性の向上を図ることができるプリンタカッタ取付構造を提供することができるという効果を奏する。
【００５８】
請求項２に記載された本発明によれば、レバーは回動可能に枢着され、回動量を規制するストッパを有するとともに、第一係止部又は第二係止部のどちらか一方へ回動する方向に付勢されるようになっている。
即ち、プリンタカッタ又はフロントパネルのどちらか一方の係止によって、付勢されたレバーの回動が規制されることになり、そのどちらか一方の係止が解除されると、レバーはストッパで規制される位置まで回動して他方の係止を解除するようになる。
従って、簡単な構成で上記メンテナンス性の向上に寄与することができるという効果を奏する。
【００５９】
請求項３に記載された本発明によれば、フロントパネルは、そのフロントパネルをレバーの係止位置に向け回動すると、プリンタカッタを支持するプリンタセットプレートに係合してそのプリンタカッタをレバーの係止位置に回動させるヒンジアームを有している。
このヒンジアームにより、プリンタカッタのメンテナンス後、フロントパネルを元の位置に復帰させれば、プリンタカッタも自動的に元の位置に戻ることになる。
従って、さらに上記メンテナンス性の向上に寄与することができるという効果を奏する。
【図面の簡単な説明】
【図１】本発明によるプリンタカッタ取付構造の一実施の形態を示すプリンタ装置の斜視図である。
【図２】図１のパネルベースを示しており、（ａ）は平面図、（ｂ）は正面図、（ｃ）は側面図である。
【図３】図１のプリンタベースを示しており、（ａ）は正面図、（ｂ）は平面図、（ｃ）は側面図である。
【図４】図１のプリンタセットプレートを示しており、（ａ）は平面図、（ｂ）は側面図である。
【図５】図１のレバーを示しており、（ａ）は正面図、（ｂ）は平面図、（ｃ）は底面図である。
【図６】図１の状態からレバーの係止を解除してフロントパネルを回動させた状態の斜視図である。
【図７】図６の状態からプリンタカッタをフロントパネルとは逆方向に回動させた状態の斜視図である。
【図８】図７の状態からオートカッタユニットを開いた状態の斜視図である。
【図９】プリンタカッタとフロントパネルとを係止する際の状態説明図である。
【図１０】フロントパネルとプリンタセットプレートとがレバーにより係止された状態の概略図である。
【図１１】図１０の状態からレバーを回動させてフロントパネルの係止を解除した状態の概略図である。
【図１２】図１１の状態からフロントパネルが解放されるとともに、レバーがスプリングにより付勢されて回動し、プリンタセットプレートの係止が解除された状態の概略図である。
【図１３】図１２の状態からプリンタセットプレートを回動させ、前端面がヒンジアームの下部に近接した状態の概略図である。
【図１４】図１３の状態からフロントパネルを元の位置に復帰させる状態においての概略図である。
【図１５】従来例の物品収納ロッカーの正面図である。
【符号の説明】
２１                      プリンタ装置
２２                      レシート
２３                      フロントパネル
２４                      プリンタベース
２５                      プリンタケース
２６                      プリンタカッタ
２７                      感熱ロール紙
２８                      レバー
３０                      化粧パネル
３１                      パネルベース
３２                      紙片排出窓
３３                      ヒンジアーム
３３ａ                    貫通孔
３３ｂ                    下部
３４                      ペーパーガイド
３５                      ブラケット
３６                      ストッパピン
３７                      排出口
３８                      段部
３９                      第一プリンタアーム
４０                      第二プリンタアーム
４１                      ロール紙支持プレート
４２                      起立壁
４３                      ストッパ
４４、５１                ストッパ面
４５、４６、５２、５３    貫通孔
４７                      孔
４８、５０                ピン
４９                      スプリング
５４                      フィードスイッチ
５５                      スイッチ固定部
５６                      シャフト
５７                      ペーパーレバー
５８                      スイッチ
５９                      矯正部
６０                      プリンタユニット
６１                      オートカッタユニット
６２                      プリンタセットプレート
６５、６６                支持部
６５ａ                    前端面
６７                      通孔
６８                      ガイド
６９                      ペーパーガイド
７０、７２                貫通孔
７１                      ストッパピン
７３                      第一係止部
７４                      第二係止部
７５                      支持部
７６、７７                テーパ
７８                      ストッパ
７９                      印字ヘッド
【図１】
0003619383.tif 000002
【図２】
0003619383.tif 000003
【図３】
0003619383.tif 000004
【図４】
0003619383.tif 000005
【図５】
0003619383.tif 000006
【図６】
0003619383.tif 000007
【図７】
0003619383.tif 000008
【図８】
0003619383.tif 000009
【図９】
0003619383.tif 000010
【図１０】
0003619383.tif 000011
【図１１】
0003619383.tif 000012
【図１２】
0003619383.tif 000013
【図１３】
0003619383.tif 000014
【図１４】
0003619383.tif 000015
【図１５】
0003619383.tif 000016